(57)【要約】  水処理装置１００は、主流路１と循環用流路２とを備えている。循環用流路２は、主流路１の相対的に下流側に位置付けられた下流側接続位置ＬＯＣから分岐し、主流路１の相対的に上流側に位置付けられ上流側接続位置ＵＰＣに合流する。水処理部３は、上流側接続位置ＵＰＣと下流側接続位置ＬＯＣとの間の主流路１に接続され、主流路１を流れる水の水質を改善する。
2020022311.tif 000002
【特許請求の範囲】
【請求項１】
上流から下流へ向かって水を導く主流路と、
前記主流路の相対的に下流側に位置付けられた下流側接続位置から分岐し、前記主流路の相対的に上流側に位置付けられた上流側接続位置に合流する循環用流路と、
前記循環用流路に接続され、前記循環用流路を流れる前記水を貯留するタンクと、
前記上流側接続位置と前記下流側接続位置との間の前記主流路に接続され、前記主流路において上流から下流へ前記水を送り出すポンプと、
前記上流側接続位置と前記下流側接続位置との間の前記主流路に接続され、前記主流路を流れる前記水の水質を改善する水処理部と、
前記上流側接続位置の上流の前記主流路に接続されるか、または、前記上流側接続位置と前記下流側接続位置との間の前記主流路に接続され、前記水の水質を測定する水質測定センサと、
前記上流側接続位置の上流側の前記主流路に接続され、前記水を通過させる開状態および前記水を通過させない閉状態のいずれかに切り替わる第１の開閉弁と、
前記下流側接続位置の下流側の前記主流路に接続され、前記水を通過させる開状態および前記水を通過させない閉状態のいずれかに切り替わる第２の開閉弁と、
前記タンクと前記上流側接続位置との間の前記循環用流路に接続され、前記水を通過させる開状態および前記水を通過させない閉状態のいずれかに切り替わる第３の開閉弁と、
前記タンクと前記下流側接続位置との間の前記循環用流路に接続され、前記水を通過させる開状態および前記水を通過させない閉状態のいずれかに切り替わる第４の開閉弁と、
を備えた、水処理装置。
【請求項２】
前記水質測定センサが前記上流側接続位置の上流の前記主流路に接続されており、
前記水質測定センサによって測定された前記水の水質を特定可能な水質情報を受けて、前記ポンプ、前記水処理部、前記第１の開閉弁、前記第２の開閉弁、前記第３の開閉弁、
および前記第４の開閉弁を制御する制御部をさらに備え、
前記制御部は、
前記水質測定センサによって測定された前記水質が所定の基準よりも良好であるか否かを判定する水質判定部を含み、
前記ポンプが前記主流路に前記水を流し、かつ、前記水処理部が前記主流路を流れる前記水の水質を改善する制御を実行している状態で、
前記水質判定部によって前記水質が所定の基準よりも良好であると判定された場合に、前記第１の開閉弁および前記第２の開閉弁を開き、かつ、前記第３の開閉弁および前記第４の開閉弁を閉じる、請求項１に記載の水処理装置。
【請求項３】
前記水処理装置の現在の運転状態を自動運転状態とするのか、それとも、手動運転状態とするのかを選択するための運転コース選択部をさらに備え、
前記制御部は、ユーザによる前記運転コース選択部の操作により、前記現在の運転状態を前記手動運転状態とすることが選択されている場合には、前記第１の開閉弁および前記第２の開閉弁を開き、かつ、前記第３の開閉弁および前記第４の開閉弁を閉じる、請求項２に記載の水処理装置。
【請求項４】
上流から下流へ向かって水を導く主流路と、
前記主流路の相対的に下流側に位置付けられた下流側接続位置から分岐し、前記主流路の相対的に上流側に位置付けられた上流側接続位置に合流する循環用流路と、
前記循環用流路に接続され、前記循環用流路を流れる前記水を貯留するタンクと、
前記上流側接続位置と前記下流側接続位置との間の前記主流路に接続され、前記主流路において上流から下流へ前記水を送り出すポンプと、
前記上流側接続位置と前記下流側接続位置との間の前記主流路に接続され、前記主流路を流れる前記水の水質を改善する水処理部と、
前記上流側接続位置の上流の前記主流路に接続されるか、または、前記上流側接続位置と前記下流側接続位置との間の前記主流路に接続され、前記水の水質を測定する水質測定センサと、
前記上流側接続位置に設けられ、前記水が前記上流側接続位置の上流の前記主流路から前記上流側接続位置と前記下流側接続位置との間の前記主流路へ流れる上流側通過状態、
および、前記水が前記タンクの下流の前記循環用流路から前記上流側接続位置と前記下流側接続位置との間の前記主流路へ流れる上流側循環状態のいずれかに切り替えられる上流側流路切替弁と、
前記下流側接続位置に設けられ、前記水が前記上流側接続位置と前記下流側接続位置との間の前記主流路から前記下流側接続位置の下流の前記主流路へ流れる下流側通過状態、
および、前記水が前記タンクの下流の前記循環用流路から前記上流側接続位置と前記下流側接続位置との間の前記主流路へ流れる下流側循環状態のいずれかに切り替えられる下流側流路切替弁と、を備えた、水処理装置。
【請求項５】
前記水質測定センサが前記上流側接続位置の上流の前記主流路に接続されており、
前記水質測定センサによって測定された前記水の水質を特定可能な水質情報を受けて、前記ポンプ、前記水処理部、前記上流側流路切替弁、および前記下流側流路切替弁を制御する制御部をさらに備え、
前記制御部は、
前記水質測定センサによって測定された前記水質が所定の基準よりも良好であるか否かを判定する水質判定部を含み、
前記ポンプが前記主流路に前記水を流し、かつ、前記水処理部が前記主流路を流れる前記水の水質を改善する制御を実行している状態で、
前記水質判定部によって前記水質が所定の基準よりも良好であると判定された場合に、前記上流側流路切替弁を前記上流側通過状態にし、かつ、前記下流側流路切替弁を前記下流側通過状態にする、請求項４に記載の水処理装置。
【請求項６】
前記水処理装置の現在の運転状態を自動運転状態とするのか、それとも、手動運転状態とするのかを選択するための運転コース選択部をさらに備え、
前記制御部は、前記運転コース選択部の操作により、前記現在の運転状態を前記手動運転状態とすることが選択されている場合には、前記上流側流路切替弁を前記上流側通過状態にし、かつ、前記下流側流路切替弁を前記下流側通過状態にする、請求項５に記載の水処理装置。
【発明の詳細な説明】
【技術分野】
【０００１】
本開示は、水処理装置に関する。
【背景技術】
【０００２】
従来から、井戸、河川もしくは池の水源の水または雨水等の原水を処理する水処理装置の開発が行われている。水処理装置には、特許文献１（図１参照）に開示されているように、主流路と主流路から分岐した循環用流路とを備えている。このような水処理装置においては、主流路の一部と循環用流路と交互に経由して、原水を、複数回循環させることによって、水質の改善を複数回実行している。それにより、所定の基準より高い水質を有する処理済の水にしてから、主流路の下流に送り出している。
【先行技術文献】
【特許文献】
【０００３】
【特許文献１】特開２０１３-８６０３４号公報（特許第５９８２６２６号）
【発明の概要】
【０００４】
上記した特許文献１に開示されている水処理装置において、循環用流路または循環用流路に接続されたタンクに不具合が生じた場合には、循環用流路を経由することなく、主流路のみに原水を流すことを必要とする。一方、上記した特許文献１に開示された水処理装置においては、循環用流路に濾過部および酸化剤供給部等の水処理部が接続されている。そのため、前述の不具合が生じた場合に、原水が、循環用流路を経由することなく、主流路のみを流れると、水処理部によって一回も水質を改善されない状態で、利用者に利用されてしまう。しかしながら、一定の基準よりも良好な水質を確保する観点から、いかなる場合においても、原水は、少なくとも一回だけは、水処理部によってその水質を改善されることが好ましい。
【０００５】
本開示は、このような従来技術の有する課題に鑑みてなされたものである。そして、本開示の目的は、いかなる場合においても、原水が少なくとも一回だけは水処理部によってその水質を改善された状態で利用者に供給される水処理装置を提供することである。
【０００６】
上記課題を解決するために、本開示の第１の態様に係る水処理装置は、上流から下流へ向かって水を導く主流路と、前記主流路の相対的に下流側に位置付けられた下流側接続位置から分岐し、前記主流路の相対的に上流側に位置付けられた上流側接続位置に合流する循環用流路と、前記循環用流路に接続され、前記循環用流路を流れる前記水を貯留するタンクと、前記上流側接続位置と前記下流側接続位置との間の前記主流路に接続され、前記主流路において上流から下流へ前記水を送り出すポンプと、前記上流側接続位置と前記下流側接続位置との間の前記主流路に接続され、前記主流路を流れる前記水の水質を改善する水処理部と、前記上流側接続位置の上流の前記主流路に接続されるか、または、前記上流側接続位置と前記下流側接続位置との間の前記主流路に接続され、前記水の水質を測定する水質測定センサと、前記上流側接続位置の上流側の前記主流路に接続され、前記水を通過させる開状態および前記水を通過させない閉状態のいずれかに切り替わる第１の開閉弁と、前記下流側接続位置の下流側の前記主流路に接続され、前記水を通過させる開状態および前記水を通過させない閉状態のいずれかに切り替わる第２の開閉弁と、前記タンクと前記上流側接続位置との間の前記循環用流路に接続され、前記水を通過させる開状態および前記水を通過させない閉状態のいずれかに切り替わる第３の開閉弁と、前記タンクと前記下流側接続位置との間の前記循環用流路に接続され、前記水を通過させる開状態および前記水を通過させない閉状態のいずれかに切り替わる第４の開閉弁と、を備えている。
【０００７】
本開示の第２の態様に係る水処理装置は、上流から下流へ向かって水を導く主流路と、前記主流路の相対的に下流側に位置付けられた下流側接続位置から分岐し、前記主流路の相対的に上流側に位置付けられた上流側接続位置に合流する循環用流路と、前記循環用流路に接続され、前記循環用流路を流れる前記水を貯留するタンクと、前記上流側接続位置と前記下流側接続位置との間の前記主流路に接続され、前記主流路において上流から下流へ前記水を送り出すポンプと、前記上流側接続位置と前記下流側接続位置との間の前記主流路に接続され、前記主流路を流れる前記水の水質を改善する水処理部と、前記上流側接続位置の上流の前記主流路に接続されるか、または、前記上流側接続位置と前記下流側接続位置との間の前記主流路に接続され、前記水の水質を測定する水質測定センサと、前記上流側接続位置に設けられ、前記水が前記上流側接続位置の上流の前記主流路から前記上流側接続位置と前記下流側接続位置との間の前記主流路へ流れる上流側通過状態、および、前記水が前記タンクの下流の前記循環用流路から前記上流側接続位置と前記下流側接続位置との間の前記主流路へ流れる上流側循環状態のいずれかに切り替えられる上流側流路切替弁と、前記下流側接続位置に設けられ、前記水が前記上流側接続位置と前記下流側接続位置との間の前記主流路から前記下流側接続位置の下流の前記主流路へ流れる下流側通過状態、および、前記水が前記タンクの下流の前記循環用流路から前記上流側接続位置と前記下流側接続位置との間の前記主流路へ流れる下流側循環状態のいずれかに切り替えられる下流側流路切替弁と、を備えている。
【図面の簡単な説明】
【０００８】
【図１】図１は、実施の形態１の水処理装置が組み込まれた水処理システムの全体構成を説明するための図である。
【図２】図２は、実施の形態１の水処理装置の制御に関する機能ブロック図である。
【図３】図３は、実施の形態１の水処理装置の制御部が実行する処理を説明するためのフローチャートである。
【図４】図４は、実施の形態２の水処理装置が組み込まれた水処理システムの全体構成を説明するための図である。
【図５】図５は、実施の形態２の水処理装置の制御部が実行する処理を説明するためのフローチャートである。
【図６】図６は、実施の形態３の水処理装置が組み込まれた水処理システムの全体構成を説明するための図である。
【図７】図７は、実施の形態３の水処理装置の制御に関する機能ブロック図である。
【図８】図８は、実施の形態３の水処理装置の制御部が実行する処理を説明するためのフローチャートである。
【図９】図９は、実施の形態４の水処理装置が組み込まれた水処理システムの全体構成を説明するための図である。
【図１０】図１０は、実施の形態４の水処理装置の制御部が実行する処理を説明するためのフローチャートである。
【発明を実施するための形態】
【０００９】
以下、図面を参照しながら、各実施の形態の水処理装置を説明する。以下の複数の実施の形態においては、同一の参照符号が付された部分同士は、図面上における形状に多少の相違があっても、特段の記載がない限り、互いに同一の機能を有するものとする。
【００１０】
（実施の形態１）
図１〜図３を用いて、実施の形態１の水処理装置１００および水処理システム１０００を説明する。
【００１１】
まず、図１を用いて、本実施の形態の水処理システム１０００の全体構成を説明する。
【００１２】
図１に示されるように、本実施の形態の水処理システム１０００には、水処理装置１００が接続されている。水処理装置１００は、主流路１、循環用流路２、タンクＴＳ、ポンプＰ、水処理部３、および水質測定センサＷＱＳを備えている。水処理装置１００は、第１の開閉弁Ｖ１、第２の開閉弁Ｖ２、第３の開閉弁Ｖ３、および第４の開閉弁Ｖ４を備えている。
【００１３】
水処理装置１００は、上流から下流へ向かって、具体的には、地下に存在する井水または地下に埋設された水道管等の水源Ｗから住宅Ｈへ水を導く主流路１を備えている。主流路１において、原水が、水処理部３まで流れ、水処理部３によって水質を改善された後、処理済の水が下流へ流れる。
【００１４】
主流路１には、水質測定センサＷＱＳ、第１の開閉弁Ｖ１、ポンプＰ、水処理部３、および第２の開閉弁Ｖ２が上流から下流へ向かってこの順番で接続されている。本実施の形態の水処理装置１００は、水処理装置１００の運転状態を制御する制御部Ｃを備えている。具体的には、制御部Ｃは、第１〜第４の開閉弁Ｖ１，Ｖ２，Ｖ３，Ｖ４、ポンプＰ、および水処理部３を制御する。水処理装置１００の下流の主流路１には、二次タンクＴＬが接続されている。二次タンクＴＬには、処理済の水が流れ込む。二次タンクＴＬは、循環用流路２に接続されたタンクＴＳより大きい容量を有している。
【００１５】
主流路１は、二次タンクＴＬから住宅Ｈ内の放出口Ｕまで延びている。放出口Ｕには、ユーザが操作可能な蛇口が設けられている。住宅Ｈ内のユーザは、主流路１を経由して放出口Ｕまで流れてきた後、放出口Ｕから放出される処理済の水を利用する。
【００１６】
主流路１には、循環用流路２が接続されている。循環用流路２の両端は、それぞれ、第１の開閉弁Ｖ１とポンプＰとの間の主流路１の上流側接続位置ＵＰＣおよび水処理部３と第２の開閉弁Ｖ２との間の主流路１の下流側接続位置ＬＯＣに接続されている。
【００１７】
言い換えると、循環用流路２は、主流路１の相対的に下流側に位置付けられた下流側接続位置ＬＯＣから分岐し、主流路１の相対的に上流側に位置付けられた上流側接続位置ＵＰＣに合流する。
【００１８】
循環用流路２には、タンクＴＳが接続されている。上流側接続位置ＵＰＣとタンクＴＳとの間の循環用流路２には、第３の開閉弁Ｖ３が接続されている。下流側接続位置ＬＯＣとタンクＴＳとの間の循環用流路２には、第４の開閉弁Ｖ４が接続されている。
【００１９】
タンクＴＳは、循環用流路２に接続され、循環用流路２を流れる水を貯留する。ポンプＰは、上流側接続位置ＵＰＣと下流側接続位置ＬＯＣとの間の主流路１、より具体的には上流側接続位置ＵＰＣと水処理部３との間の主流路１に接続され、主流路１において上流から下流へ水を送り出す。
【００２０】
水処理部３は、上流側接続位置ＵＰＣと下流側接続位置ＬＯＣとの間の主流路１、より具体的にはポンプＰと下流側接続位置ＬＯＣとの間の主流路１に接続され、主流路１を流れる水の水質を改善する、つまり、原水を処理済みの水へ変化させる。水処理部３は、酸化剤供給部としてのオゾン生成・混合部Ｏ３と濾過部Ｆとを含んでいる。そのため、濾過部Ｆを通過するときに、原水に含まれていた異物が除去される。濾過部Ｆは、本実施の形態においては、マンガン砂を含む砂ろ過部である。また、原水は、オゾン生成・混合部Ｏ３から混合されたオゾンの気泡により殺菌される。
【００２１】
ただし、水処理部３は、主流路１を流れる原水から鉄成分を除去する鉄除去装置を含んでいてもよい。また、水処理部３は、主流路１を流れる原水からカルシウムイオンおよびマグネシウムイオンを除去することにより硬水を軟化させる硬水軟化装置を含んでいてもよい。つまり、水処理部３は、何等かの観点で水質を改善するものであれば、いかなる装置を含んでいてもよい。
【００２２】
タンクＴＳは、水処理部３によって一回または複数回水質を改善された処理済の水を貯留している。二次タンクＴＬは、タンクＴＳに貯留されることなく水処理部３によって一回だけ水質改善された処理済の水、または、水処理部３によって複数回繰り返して水質を改善された処理済の水を貯留している。
【００２３】
タンクＴＳ内には、タンクＴＳ内に貯留されている水の水位を測定する水位センサＷＨＳ１が設けられている。二次タンクＴＬ内には、二次タンクＴＬ内に貯留されている水の水位を測定する水位センサＷＨＳ２が設けられている。
【００２４】
第１の開閉弁Ｖ１は、上流側接続位置ＵＰＣの上流側の主流路１に接続されている。第１の開閉弁Ｖ１は、水を通過させる開状態および水を通過させない閉状態のいずれかに切り替えられる。第２の開閉弁Ｖ２は、下流側接続位置ＬＯＣの下流側の主流路１に接続されている。第２の開閉弁Ｖ２も、水を通過させる開状態および水を通過させない閉状態のいずれかに切り替えられる。
【００２５】
第３の開閉弁Ｖ３は、タンクＴＳと上流側接続位置ＵＰＣとの間の循環用流路２に接続されている。第３の開閉弁Ｖ３も、水を通過させる開状態および水を通過させない閉状態のいずれかに切り替えられる。第４の開閉弁Ｖ４は、タンクＴＳと下流側接続位置ＬＯＣとの間の循環用流路２に接続されている。第４の開閉弁Ｖ４も、水を通過させる開状態および水を通過させない閉状態のいずれかに切り替えられる。
【００２６】
上記の構成によれば、原水が水処理部３によって少なくとも一回だけは水質を改善された状態でユーザに供給される。
【００２７】
水質測定センサＷＱＳは、上流側接続位置ＵＰＣの上流の主流路１に接続されている。より具体的には、水質測定センサＷＱＳは、第１の開閉弁Ｖ１の上流の主流路１に接続されている。これにより、制御部Ｃは、水質測定センサＷＱＳによって測定された水の水質を特定可能な情報を受け取る。本実施の形態においては、水質測定センサＷＱＳは、オゾン生成・混合部Ｏ３によって消滅させられる菌の濃度であってもよい。また、濾過部Ｆで濾過される予定の異物の水に対する比率であってもよい。
【００２８】
制御部Ｃは、ポンプＰ、水処理部３、第１の開閉弁Ｖ１、第２の開閉弁Ｖ２、第３の開閉弁Ｖ３、および第４の開閉弁Ｖ４を制御する。制御部Ｃは、水質測定センサＷＱＳによって測定された水質が所定の基準よりも改善されているか否かを判定する水質判定部（後述される図３のＳ９）を含んでいる。制御部Ｃは、ポンプＰに主流路１に水を流させることによって、水処理部３に主流路１を流れる水の水質を改善させる制御を実行する。この状態で、制御部Ｃは、水質判定部（後述される図３のＳ９）によって水質が所定の基準よりも改善されたと判定された場合に、第１の開閉弁Ｖ１および第２の開閉弁Ｖ２を開き、かつ、第３の開閉弁Ｖ３および第４の開閉弁Ｖ４を閉じる。
【００２９】
本実施の形態の水処理装置１００によれば、たとえば、タンクＴＳまたは循環用流路２が故障し、循環用流路２に原水を流すことができない場合がある。この場合においても、原水が水処理部３によって少なくとも一回だけは水質を改善された状態で処理済の水としてユーザに供給される。具体的には、後述される手動運転および自動運転のいずれの場合においても、原水が水処理部３によって少なくとも一回だけは水質を改善された状態で処理済の水としてユーザに供給される。また、水質測定センサＷＱＳが故障しても水処理装置１００の運転を停止できない場合がある。この場合において、手動操作で、第１の開閉弁Ｖ１および第２の開閉弁Ｖ２を開き、かつ、第３の開閉弁Ｖ３および第４の開閉弁Ｖ４を閉じる。それにより、この場合においても、原水が水処理部３によって少なくとも一回だけは水質を改善された状態で処理済の水としてユーザに供給される。
【００３０】
本実施の形態の水処理装置１００は、制御部Ｃによって制御され、所定の情報を表示する表示部Ｄを備えている。表示部Ｄは、たとえば、現在の水処理装置１００の運転状態が、自動運転状態であるのか、それとも、手動運転状態であるのかを表示する。現在の水処理装置１００の運転状態が手動運転状態であることを表示部Ｄが表示している場合には、制御部Ｃは、第１の開閉弁Ｖ１および第２の開閉弁Ｖ２を開き、かつ、第３の開閉弁Ｖ３および第４の開閉弁Ｖ４を閉じる。現在の運転状態を、自動運転状態にするのか、それとも、手動運転状態にするのかは、ユーザが運転コース選択部Ｓを操作して選択することによって決定される。
【００３１】
これにより、ユーザは、たとえば、地震等によって循環用流路２またはタンクＴＳが破損等した場合に、運転コース選択部Ｓを手動操作する。それによって、水処理装置１００の状態を、水が循環用流路２を通過することなく主流路１のみを通過する状態にすることができる。たとえば、ユーザは、運転コース選択部Ｓの手動運転アイコン（またはワンパスアイコン）をタッチすることにより、第１の開閉弁Ｖ１および第２の開閉弁Ｖ２を開き、かつ、第３の開閉弁Ｖ３および第４の開閉弁Ｖ４を閉じることができる。それにより、水源Ｗから供給された井水または水道水が、循環用流路２に流れ込むことなく、主流路１のみを流れて、二次タンクＴＬに至る。これにより、ユーザは、タンクＴＳまたは循環用流路２が故障している場合等においても、水処理部３で少なくとも一回は水質を改善された処理済の水を使用することができる。
【００３２】
次に、図２を用いて、本実施の形態の水処理装置１００の制御部Ｃおよびそれに関連する構成を説明する。
【００３３】
図２に示されるように、制御部Ｃは、運転コース選択部Ｓ、水位センサＷＨＳ１、水位センサＷＨＳ２、水質測定センサＷＱＳ、および電源スイッチＳＷのそれぞれから送信された各指令信号を受信する。
【００３４】
運転コース選択部Ｓは、ユーザが、操作により、水処理装置１００の運転状態を自動運転状態とするのか、それとも、手動運転とするのかを選択するための選択スイッチである。選択スイッチは、たとえば、表示部Ｄの液晶表示パネル上に表示される選択アイコンである。
【００３５】
水位センサＷＨＳ１は、タンクＴＳ内の水の水位を測定し、測定された水位の情報を制御部Ｃへ送信する。具体的には、水位センサＷＨＳ１は、タンクＴＳ内の水の水位が上限水位ＷＨ以上になった場合、および、タンクＴＳ内の水の水位が下限水位ＷＬ以下となった場合に、それぞれを知らせる情報を制御部Ｃに送信する。
【００３６】
水位センサＷＨＳ２は、タンクＴＬ内の水の水位を測定し、測定された水位の情報を制御部Ｃへ送信する。具体的には、水位センサＷＨＳ２は、二次タンクＴＬ内の水の水位が上限水位ＷＨ以上になった場合、および、二次タンクＴＬ内の水の水位が下限水位ＷＬ以下になった場合に、それぞれを知らせる情報を制御部Ｃに送信する。
【００３７】
水質測定センサＷＱＳは、上流側接続位置ＵＰＣよりも上流の主流路１を流れる水の水質を測定し、測定された水質の情報を制御部Ｃへ送信する。水質測定センサＷＱＳは、第１の開閉弁Ｖ１の上流の主流路１に接続されているが、第１の開閉弁Ｖ１と上流側接続位置ＵＰＣとの間の主流路１に接続されていてもよい。
【００３８】
電源スイッチＳＷは、ユーザに操作されることにより、制御部Ｃを駆動状態にすることを指令する指令信号を制御部Ｃへ送信する。これにより、制御部Ｃは、起動し、運転コース選択部Ｓ、水位センサＷＨＳ１、水位センサＷＨＳ２、および水質測定センサＷＱＳから各情報を受信する。
【００３９】
制御部Ｃは、その受信した各情報に基づいて、酸化剤供給部としてのオゾン生成・混合部Ｏ３、ポンプＰ、第１の開閉弁Ｖ１、第２の開閉弁Ｖ２、第３の開閉弁Ｖ３、第４の開閉弁Ｖ４、および表示部Ｄのそれぞれへ各制御信号を送信する。
【００４０】
オゾン生成・混合部Ｏ３は、制御部Ｃから送信されてきた制御信号に基づいて制御されることにより、上流側接続位置ＵＰＣと下流側接続位置ＬＯＣとの間の主流路１を流れる水へ酸化剤としてのオゾンを供給する。ポンプＰは、制御部Ｃから送信されてきた制御信号に基づいて制御されることにより、上流側接続位置ＵＰＣと下流側接続位置ＬＯＣとの間の主流路１で上流から下流へ水が流れるように駆動される。
【００４１】
第１の開閉弁Ｖ１、第２の開閉弁Ｖ２、第３の開閉弁Ｖ３、および第４の開閉弁Ｖ４は、それぞれ、制御部Ｃから送信されてきた制御信号に基づいて制御されることにより、水を通過させる開状態と水を通過させない閉状態とに切替えられる。表示部Ｄは、制御部Ｃから送信されてきた制御信号に基づいて制御されることにより、現在の運転状態が自動運転状態であるのかそれとも手動運転状態であるのか等を表示する。
【００４２】
次に、図３を用いて、本実施の形態の水処理装置１００の制御部Ｃが実行する制御における各処理を説明する。
【００４３】
ステップＳ１において、制御部Ｃは、水位センサＷＨＳ２から送信されてきた信号に基づいて、二次タンクＴＬ内の水の水位が上限水位ＷＨ以上であるか否かを判定する。
【００４４】
ステップＳ１において、二次タンクＴＬ内の水の水位が上限水位ＷＨ以上であると判定された場合には、ステップＳ３において、制御部Ｃは、ポンプＰおよびオゾン生成・混合部Ｏ３をＯＦＦに設定し、ステップＳ１およびステップＳ３の処理を繰り返す。したがって、二次タンクＴＬ内の水の水位が上限水位ＷＨ以上であれば、水処理装置１００は駆動されない。
【００４５】
このような処理を実行する理由は、二次タンクＴＬ内の水の水位が上限水位ＷＨ以上であると、二次タンクＴＬから処理済みの水が溢れ出るおそれがあるためである。したがって、この場合には、制御部ＣはポンプＰを停止する。これにより、タンクＴＳから二次タンクＴＬへの処理済みの水の補充は行われない。
【００４６】
ステップＳ１において、二次タンクＴＬ内の水の水位が上限水位ＷＨに到達していないと判定されれば、制御部Ｃは、ステップＳ２において、二次タンクＴＬ内の水の水位が下限水位ＷＬ以下になっているか否かを判定する。ステップＳ２において、二次タンクＴＬ内の水の水位が下限水位ＷＬ以下になっていないと判定されれば、ステップＳ３の処理を実行する。
【００４７】
つまり、二次タンクＴＬ内の水の水位が上限水位ＷＨ以下であっても、二次タンクＴＬに下限水位ＷＬよりも多い処理済の水が残存している場合には、制御部Ｃは、水処理装置１００を駆動させない。このような処理を実行する理由は、二次タンクＴＬ内の水がユーザにとって必要な量以上であるためである。したがって、この場合にも、制御部ＣはポンプＰを停止している。それにより、タンクＴＳから二次タンクＴＬへの処理済の水の補充は行われない。
【００４８】
一方、ステップＳ２において、二次タンクＴＬ内の水の水位が下限水位ＷＬ以下になっていると判定されれば、ステップＳ４において、制御部Ｃは、オゾン生成・混合部Ｏ３およびポンプＰを駆動する。それにより、上流側接続位置ＵＰＣと下流側接続位置ＬＯＣとの間の主流路１において上流から下流へ水が流れる。また、オゾン生成・混合部Ｏ３から上流側接続位置ＵＰＣと下流側接続位置ＬＯＣとの間の主流路１において流れている水に酸化剤としてのオゾンが供給される。
【００４９】
ステップＳ４の後、ステップＳ５において、ユーザが、運転コース選択部Ｓの操作により、水処理装置１００の現在の運転状況として、自動運転を選択したのか否かを判定する。ステップＳ５において、水処理装置１００の現在の運転状況として、自動運転ではなく、ユーザによるワンパス（手動）運転が運転コース選択部Ｓの操作によって選択されたと判定される場合がある。この場合には、ステップＳ６において、制御部Ｃは、現在の運転状況がワンパス（手動）運転であることを特定可能な情報を表示部Ｄに表示させる。
【００５０】
ワンパス（手動）運転とは、循環用流路２を水が流れることなく、主流路１においてのみ水が流れる状態にする運転である。それにより、水処理装置１００の現在の運転状況が、ワンパス状態であることが表示部Ｄに表示される。それにより、ユーザは、現在の水処理装置１００の状態を、水処理部３によって水質改善された処理済の水が循環用流路２を経由することなく主流路１のみを通って二次タンクＴＬまで送られる状態にすることが可能であることを把握することができる。
【００５１】
つまり、水処理装置１００の現在の運転状態を自動運転状態とするのか、それとも、手動運転状態とするのかを選択するための運転コース選択部Ｓを備えている。制御部Ｃは、ユーザによる運転コース選択部Ｓの操作により、現在の運転状態を手動運転状態とすることが選択されていると判定する場合がある。
【００５２】
この場合には、ステップＳ７において、制御部Ｃは、第１の開閉弁Ｖ１および第２の開閉弁Ｖ２のそれぞれを開く一方で、第３の開閉弁Ｖ３および第４の開閉弁Ｖ４のそれぞれを閉じる。それにより、実際に、水処理部３で水質を改善された処理済の水が、循環用流路２を経由することなく、主流路１のみを通って、二次タンクＴＬまで送られる。その後、ステップＳ１の処理が実行される。
【００５３】
一方、ステップＳ５において、水処理装置１００の現在の運転状況として、自動運転が運転コース選択部Ｓによって選択されていると判定される場合がある。この場合には、ステップＳ９において、水質測定センサＷＱＳから送信されてきた上流側接続位置ＵＰＣの上流の主流路１を流れる水の水質の情報に基づいて、制御部Ｃは、水質が所定の基準より良好であるか否かを判定する。
【００５４】
ステップＳ９において、水質が所定の基準よりも良好であると判定された場合には、制御部Ｃは、ステップＳ７の処理を実行する。それにより、水源Ｗの水またはタンクＴＳ内の水質を改善された処理済の水が、上流側接続位置ＵＰＣ、水処理部３、および下流側接続位置ＬＯＣを経由して、二次タンクＴＬまで送られる。一方、ステップＳ９において、水質が所定の基準よりも良好ではないと判定された場合には、制御部Ｃは、ステップＳ１０において、循環時間を決定する。循環時間は、水が循環用流路２と主流路１の一部とを交互に流れる、いわゆる水の循環が行われる時間である。循環時間においては、水は水処理部３によって繰り返して水質を改善される。水質測定センサＷＱＳによって測定された水質がより良好であるほどより短い循環時間が設定され、水質測定センサＷＱＳによって測定された水質がより劣悪であるほどより長い循環時間が設定される。
【００５５】
その後、ステップＳ１１において、制御部Ｃは、第１の開閉弁Ｖ１および第４の開閉弁Ｖ４のそれぞれを開く一方で、第２の開閉弁Ｖ２および第３の開閉弁Ｖ３のそれぞれを閉じる。このとき、ポンプＰは駆動している。そのため、未だ水質を改善されていない水が、水質測定センサＷＱＳ、第１の開閉弁Ｖ１、上流側接続位置ＵＰＣ、ポンプＰ、濾過部Ｆ、オゾン生成・混合部Ｏ３、下流側接続位置ＬＯＣ、および第４の開閉弁Ｖ４を経由して、タンクＴＳに導かれる。その結果、タンクＴＳ内において、処理済の水が、徐々に増加し、その水位は上昇する。
【００５６】
ステップＳ１２において、制御部Ｃは、タンクＴＳ内に貯留されている処理済の水の水位が上限水位ＷＨ以上であるか否かを判定する。ステップＳ１２において、タンクＴＳ内に貯留されている処理済の水の水位が上限水位ＷＨ以上ではないと判定される場合がある。この場合には、ステップＳ１２が繰り返される。このとき、ポンプＰは駆動し続けているため、タンクＴＳ内の処理済の水の水位は徐々に上昇する。
【００５７】
ステップＳ１２において、タンクＴＳ内に貯留されている処理済の水の水位が上限水位ＷＨ以上であると判定される場合がある。この場合には、ステップＳ１３において、制御部Ｃは、第１の開閉弁Ｖ１および第２の開閉弁Ｖ２を閉じ、かつ、第３の開閉弁Ｖ３および第４の開閉弁Ｖ４を開く。これにより、タンクＴＳに貯留されている水が、循環用流路２から上流側接続位置ＵＰＣと下流側接続位置ＬＯＣとの間の主流路１へ移動する。その後、水は、上流側接続位置ＵＰＣと下流側接続位置ＬＯＣとの間の主流路１から循環用流路２へ移動する。つまり、いわゆる循環サイクルが繰り返される。その後、制御部Ｃは、ステップＳ１４において、ステップＳ１０において決定された循環時間が経過したか否かを判定する。
【００５８】
ステップＳ１４において、制御部Ｃは、循環時間が経過していないと判定すれば、タンクＴＳ内に貯留されている処理済みの水は、未だ所定の基準よりも良好な水質になっていないと判断して、ステップＳ１３で設定した状態を維持する。このとき、ポンプＰは駆動している。したがって、水は、循環用流路２と主流路１とを交互に流れる。それによって、水は、循環し、水処理部３によって繰り返して水質を改善される。その結果、水の水質が時間の経過にともなって徐々により良好になる。循環時間は、前述のように、水質測定センサＷＱＳによって測定された水質の優劣の程度に応じて予め決められた時間である。
【００５９】
ステップＳ１４において、制御部Ｃは、循環時間が経過していると判定すれば、タンクＴＳ内に貯留されている処理済みの水は、既に所定の基準よりも良好な水質になっているとみなす。それにより、ステップＳ１５において、制御部Ｃは、第２の開閉弁Ｖ２および第３の開閉弁Ｖ３のそれぞれを開く一方で、第１の開閉弁Ｖ１および第４の開閉弁Ｖ４のそれぞれを閉じる。このとき、ポンプＰが駆動状態である。そのため、タンクＴＳ内に貯留されている処理済の水が、第３の開閉弁Ｖ３、上流側接続位置ＵＰＣ、水処理部３、下流側接続位置ＬＯＣ、および第２の開閉弁Ｖ２を経由して、二次タンクＴＬへ送り出される。
【００６０】
その後、ステップＳ１６において、制御部Ｃは、水位センサＷＨＳ１から送信されてきた情報に基づいて、タンクＴＳ内の処理済の水の水位が下限水位ＷＬ以下であるか否かを判定する。ステップＳ１６において、タンクＴＳ内の処理済の水の水位が下限水位ＷＬ以下でなければ、制御部Ｃは、ステップＳ１６の判定を繰り返す。このとき、ポンプＰは駆動し続けている。そのため、タンクＴＳ内の処理済の水は、第３の開閉弁Ｖ３、上流側接続位置ＵＰＣ、水処理部３、下流側接続位置ＬＯＣ、第２の開閉弁Ｖ２を経由して、二次タンクＴＬまで送り出され続ける。一方、ステップＳ１６において、タンクＴＳ内の処理済の水の水位が下限水位ＷＬ以下になっていると判定されれば、制御部Ｃは、再びステップＳ１の処理を実行する。
【００６１】
（実施の形態２）
図４および図５を用いて、実施の形態２の水処理装置１００および水処理システム１０００を説明する。
【００６２】
まず、図４を用いて、本実施の形態の水処理装置１００および水処理システム１０００の全体構成を説明する。
【００６３】
図４に示される本実施の形態の水処理装置１００と図１に示される実施の形態１の水処理装置１００とは、水質測定センサＷＱＳが接続されている主流路１の位置のみが異なっている。言い換えると、図４に示される本実施の形態の水処理装置１００と図１に示される実施の形態１の水処理装置１００とは、水質測定センサＷＱＳが接続されている主流路１の位置以外においては、同一の構成を備えている。
【００６４】
具体的には、本実施の形態の水処理装置１００の水質測定センサＷＱＳは、上流側接続位置ＵＰＣと下流側接続位置ＬＯＣとの間の主流路１に接続されている。具体的には、本実施の形態の水処理装置１００の水質測定センサＷＱＳは、水処理部３とポンプＰとの間の主流路１に接続されている。したがって、本実施の形態の水処理装置１００の水質測定センサＷＱＳは、上流側接続位置ＵＰＣと下流側接続位置ＬＯＣとの間の主流路１を流れている水の水質を測定する。
【００６５】
本実施の形態の水処理装置１００の制御部Ｃおよびそれに関連する構成は、図２を用いて説明された実施の形態１の制御部Ｃの構成およびそれに関連する構成と同一であるため、その説明は繰り返さない。
【００６６】
次に、図５を用いて、本実施の形態の水処理装置１００の制御部Ｃが実行する制御における各処理を説明する。
【００６７】
図５の本実施の形態の制御部Ｃが実行する処理と図３の実施の形態１の制御部Ｃが実行する処理とは、ステップＳ９Ａ、ステップＳ１０Ａ、ステップＳ１１Ａ、ステップＳ１２Ａ、ステップＳ１３Ａ、およびステップＳ１４Ａの処理のみが異なっている。言い換えると、図５の形態の制御部Ｃが実行する処理と図３の制御部Ｃが実行する処理とは、ステップＳ９Ａ、ステップＳ１０Ａ、ステップＳ１１Ａ、ステップＳ１２Ａ、ステップＳ１３Ａ、およびステップＳ１４Ａ以外においては、同一の処理を実行する。
【００６８】
具体的には、図５に示される本実施の形態の制御部Ｃが実行する処理においては、ステップＳ９Ａにおいては、制御部Ｃは、水位センサＷＨＳ１によって測定されたタンクＴＳ内に貯留されている処理済の水の水位が上限水位ＷＨ以上であるか否かを判定する。ステップＳ９Ａにおいて、タンクＴＳ内に貯留されている処理済の水の水位が上限水位ＷＨ以上ではないと判定される場合がある。この場合には、制御部Ｃは、ステップＳ１０Ａにおいて、第１の開閉弁Ｖ１および第４の開閉弁Ｖ４のそれぞれを開く一方で、第２の開閉弁Ｖ２および第３の開閉弁Ｖ３のそれぞれを閉じる。
【００６９】
このとき、ポンプＰは駆動している。そのため、水が、第１の開閉弁Ｖ１、上流側接続位置ＵＰＣ、ポンプＰ、水質測定センサＷＱＳ、水処理部３、下流側接続位置ＬＯＣ、および第４の開閉弁Ｖ４を経由して、タンクＴＳに流れ込む。その後、制御部Ｃは、タンクＴＳ内に貯留されている処理済の水の水位が上限水位ＷＨ以上であると判定されるまで、ステップＳ９ＡおよびステップＳ１０Ａの処理を繰り返す。
【００７０】
ステップＳ９Ａにおいて、タンクＴＳ内に貯留されている処理済の水の水位が上限水位ＷＨ以上であると判定される場合がある。この場合には、制御部Ｃは、ステップＳ１１Ａにおいて、水質測定センサＷＱＳから送信されてきた水質の情報に基づいて、水質が所定の基準より良好であるか否かを判定する。
【００７１】
ステップＳ１１Ａにおいて、水質が所定の基準より良好ではないと判定されれば、ステップＳ１２Ａにおいて、第１の開閉弁Ｖ１および第２の開閉弁Ｖ２のそれぞれを閉じる一方で、第３の開閉弁Ｖ３および第４の開閉弁Ｖ４を開く。これにより、主流路１の一部と循環用流路２とを交互に経由して、処理済の水が循環する。具体的には、処理済の水が、上流側接続位置ＵＰＣと下流側接続位置ＬＯＣとの間の主流路１から循環用流路２へ流れた後、循環用流路２から上流側接続位置ＵＰＣと下流側接続位置ＬＯＣとの間の主流路１へ流れる動作が繰り返される。それにより、水は、水処理部３によって繰り返して水質を改善される。その後、ステップＳ１の処理が実行される。
【００７２】
一方、ステップＳ１１Ａにおいて、処理済の水が所定の基準より水質が良好であると判定される場合がある。この場合には、ステップＳ１３Ａにおいて、制御部Ｃは、第１の開閉弁Ｖ１および第４の開閉弁Ｖ４のそれぞれを閉じる一方で、第２の開閉弁Ｖ２および第３の開閉弁Ｖ３のそれぞれを開く。このとき、ポンプＰが駆動している。そのため、タンクＴＳ内に貯留されている処理済の水が、第３の開閉弁Ｖ３、上流側接続位置ＵＰＣ、水質測定センサＷＱＳ、水処理部３、下流側接続位置ＬＯＣ、および第２の開閉弁Ｖ２を経由して、二次タンクＴＬへ送り出される。
【００７３】
その後、ステップＳ１４Ａにおいて、制御部Ｃは、水位センサＷＨＳ１によって測定されたタンクＴＳ内の処理済の水が下限水位ＷＬ以下であるか否かを判定する。ステップＳ１４Ａにおいて、タンクＴＳ内の処理済の水が下限水位ＷＬ以下であると判定されなければ、制御部Ｃは、ステップＳ１４Ａの判定を繰り返す。一方、ステップＳ１４Ａにおいて、タンクＴＳ内の処理済の水が下限水位ＷＬ以下であると判定されれば、制御部Ｃは、ステップＳ１の処理を実行する。
【００７４】
本実施の形態の水処理装置１００によれば、水質測定センサＷＱＳによって測定された上流側接続位置ＵＰＣと下流側接続位置ＬＯＣとの間の主流路１を流れる処理済の水の水質が所定の基準よりも良好である場合がある。この場合にのみ、処理済の水が上流側接続位置ＵＰＣと下流側接続位置ＬＯＣとの間の主流路１から二次タンクＴＬへ送り出される。そのため、循環用流路２およびタンクＴＳが故障していなければ、ユーザは、実施の形態１の水処理装置１００に比較して、より確実に所定の基準よりも水質が良好な二次タンクＴＬ内の処理済の水を利用することができる。
【００７５】
本実施の形態の水処理装置１００によっても、タンクＴＳが故障し、循環用流路２に原水を流すことができない場合においても、原水が水処理部３によって少なくとも一回だけは水質を改善された状態で処理済の水としてユーザに供給される。また、本実施の形態の水処理装置１００によっても、手動運転および自動運転のいずれの場合においても、原水が水処理部３によって少なくとも一回だけは水質を改善された状態で処理済の水としてユーザに供給される。
【００７６】
（実施の形態３）
図６〜図８を用いて、実施の形態３の水処理装置１００および水処理システム１０００を説明する。
【００７７】
まず、図６を用いて、本実施の形態の水処理装置１００および水処理システム１０００の全体構成を説明する。
【００７８】
本実施の形態の水処理装置１００は、主流路１、上流側接続位置ＵＰＣ、下流側接続位置ＬＯＣ、循環用流路２、タンクＴＳ、ポンプＰ、水処理部３、および水質測定センサＷＱＳを備えている。これらの構成は、実施の形態１の対応する構成と同一である。ただし、本実施の形態の水処理装置１００は、上流側流路切替弁ＳＷＶ１および下流側流路切替弁ＳＷＶ２を備えている。
【００７９】
したがって、図６の本実施の形態の水処理装置１００と図１の実施の形態１の水処理装置１００とは、第１〜第４の開閉弁Ｖ１，Ｖ２，Ｖ３，Ｖ４が上流側流路切替弁ＳＷＶ１および下流側流路切替弁ＳＷＶ２に置換されている点のみ異なっている。言い換えると、図６の水処理装置１００と図１の水処理装置１００とは、第１〜第４の開閉弁Ｖ１，Ｖ２，Ｖ３，Ｖ４が上流側流路切替弁ＳＷＶ１および下流側流路切替弁ＳＷＶ２に置き換えられている点以外においては、同一の構成を備えている。上流側流路切替弁ＳＷＶ１および下流側流路切替弁ＳＷＶ２は、それぞれ、いわゆる三方弁である。
【００８０】
上流側流路切替弁ＳＷＶ１は、主流路１と循環用流路２との相対的に上流側の接続位置である上流側接続位置ＵＰＣに設けられている。上流側流路切替弁ＳＷＶ１は、上流側通過状態および上流側循環状態のいずれかに切り替えられる。上流側通過状態は、水が上流側接続位置ＵＰＣの上流の主流路１から上流側接続位置ＵＰＣと下流側接続位置ＬＯＣとの間の主流路１へ流れる状態である。上流側循環状態は、水がタンクＴＳの下流の循環用流路２から上流側接続位置ＵＰＣと下流側接続位置ＬＯＣとの間の主流路１へ流れる状態である。
【００８１】
下流側流路切替弁ＳＷＶ２は、主流路１と循環用流路２との相対的に下流側の接続位置である下流側接続位置ＬＯＣに設けられている。下流側流路切替弁ＳＷＶ２は、下流側通過状態および下流側循環状態のいずれかに切り替えられる。下流側通過状態は、水が上流側接続位置ＵＰＣと下流側接続位置ＬＯＣとの間の主流路１から下流側接続位置ＬＯＣの下流の主流路１へ流れる状態である。下流側循環状態は、水が上流側接続位置ＵＰＣと下流側接続位置ＬＯＣとの間の主流路１からタンクＴＳの上流の循環用流路２へ流れる状態である。
【００８２】
本実施の形態の水処理装置１００によっても、原水が水処理部３によって少なくとも一回だけは水質を改善された状態でユーザに供給される。
【００８３】
また、本実施の形態においても、実施の形態１と同様に、水質測定センサＷＱＳが上流側接続位置ＵＰＣの上流の主流路１に接続されている。そのため、制御部Ｃは、水質測定センサＷＱＳによって測定された水の水質を特定可能な情報を受け取る。また、制御部Ｃは、ポンプＰ、水処理部３、上流側流路切替弁ＳＷＶ１、および下流側流路切替弁ＳＷＶ２を制御する。
【００８４】
さらに、制御部Ｃは、水質測定センサＷＱＳによって測定された水質が所定の基準よりも良好であるか否かを判定する水質判定部（図８のＳ９）を含んでいる。制御部Ｃは、ポンプＰが主流路１に水を流し、かつ、水処理部３が主流路１を流れる水の水質を改善する制御を実行している状態になる。この状態で、水質判定部（図８のＳ９）によって水質が所定の基準よりも良好であると判定される場合がある。この場合に、制御部Ｃは、上流側流路切替弁ＳＷＶ１を上流側通過状態にし、かつ、下流側流路切替弁ＳＷＶ２を下流側通過状態にする。
【００８５】
これにより、水が水質測定センサＷＱＳ、上流側流路切替弁ＳＷＶ１、水処理部３、および下流側流路切替弁ＳＷＶ２を経由して、二次タンクＴＬへ送り込まれる。つまり、水は、循環用流路２に流れ込むことなく、主流路１のみを流れて、二次タンクＴＬに送り込まれる。
【００８６】
したがって、本実施の形態の水処理装置１００によっても、手動運転および自動運転のいずれの場合においても、原水が水処理部３によって少なくとも一回だけは水質を改善された状態で処理済の水としてユーザに供給される。
【００８７】
本実施の形態においても、水処理装置１００は、現在の状態が自動運転の状態かそれとも手動運転の状態かを表示する表示部Ｄを備えている。表示部Ｄが手動運転の状態であることを表示している場合には、手動で、上流側流路切替弁ＳＷＶ１を上流側通過状態にし、かつ、下流側流路切替弁ＳＷＶ２を下流側通過状態にすることができる。具体的には、ユーザは、運転コース選択部Ｓを操作することによって、上流側流路切替弁ＳＷＶ１を上流側通過状態にし、かつ、下流側流路切替弁ＳＷＶ２を下流側通過状態にすることができる。
【００８８】
次に、図７を用いて、本実施の形態の水処理装置１００の制御部Ｃおよびそれに関連する構成を説明する。
【００８９】
図７の本実施の形態の制御部Ｃの関連構成と図２の実施の形態１の制御部Ｃの関連構成とは、第１〜第４の開閉弁Ｖ１，Ｖ２，Ｖ３，Ｖ４が上流側流路切替弁ＳＷＶ１および下流側流路切替弁ＳＷＶ２に置換されている点においてのみ異なる。言い換えると、図７の制御部Ｃの関連構成と図２の制御部Ｃの関連構成とは、第１〜第４の開閉弁Ｖ１，Ｖ２，Ｖ３，Ｖ４が上流側流路切替弁ＳＷＶ１および下流側流路切替弁ＳＷＶ２に置換されている点以外においては同一である。
【００９０】
本実施の形態においては、制御部Ｃは、第１〜第４の開閉弁Ｖ１，Ｖ２，Ｖ３，Ｖ４を制御する代わりに、上流側流路切替弁ＳＷＶ１および下流側流路切替弁ＳＷＶ２のそれぞれを制御する。
【００９１】
次に、図８を用いて、本実施の形態の水処理装置１００の制御部Ｃが実行する制御における各処理を説明する。
【００９２】
図８に示されている本実施の形態の制御部Ｃの処理は、ステップＳ７Ｃ、ステップＳ１１Ｃ、Ｓ１３Ｃ、ステップＳ１５Ｃにおいてのみ、図３に示されている実施の形態１の制御部Ｃの処理と異なる。具体的には、実施の形態１の第１〜第４の開閉弁Ｖ１，Ｖ２，Ｖ３，Ｖ４の動作が、上流側流路切替弁ＳＷＶ１および下流側流路切替弁ＳＷＶ２の動作に置き換えられている。これ以外の処理については、図８に示されている本実施の形態の制御部Ｃの処理と図３に示されている実施の形態１の制御部Ｃの処理とは同一である。
【００９３】
具体的には、ステップＳ７Ｃにおいて、制御部Ｃは、上流側流路切替弁ＳＷＶ１を上流側通過状態にするとともに、下流側流路切替弁ＳＷＶ２を下流側通過状態にする。これにより、水は、水質測定センサＷＱＳ、上流側流路切替弁ＳＷＶ１、水処理部３、および下流側流路切替弁ＳＷＶ２を経由して、二次タンクＴＬへ送り込まれる。つまり、水は、循環用流路２に流れ込むことなく、主流路１のみを流れて、二次タンクＴＬに送り込まれる。
【００９４】
ステップＳ１１Ｃにおいて、制御部Ｃは、上流側流路切替弁ＳＷＶ１を上流側通過状態にするとともに、下流側流路切替弁ＳＷＶ２を下流側循環状態にする。これにより、水が、水質測定センサＷＱＳ、上流側流路切替弁ＳＷＶ１、水処理部３、および下流側流路切替弁ＳＷＶ２を経由して、タンクＴＳへ送り込まれる。つまり、水は、主流路１から下流側接続位置ＬＯＣを経由して循環用流路２に流れ込み、二次タンクＴＬではなく、タンクＴＳに送り込まれる。
【００９５】
ステップＳ１３Ｃにおいて、制御部Ｃは、上流側流路切替弁ＳＷＶ１を上流側循環状態にするとともに、下流側流路切替弁ＳＷＶ２も循環状態にする。これにより、水が、タンクＴＳから上流側流路切替弁ＳＷＶ１、水処理部３、および下流側流路切替弁ＳＷＶ２を経由して、再び、タンクＴＳへ至るサイクルを繰り返す。つまり、水は、循環用流路２から主流路１へ流れた後、主流路１から循環用流路２へ流れるサイクルを繰り返す。
【００９６】
ステップＳ１５Ｃにおいて、制御部Ｃは、上流側流路切替弁ＳＷＶ１を上流側循環状態にするとともに、下流側流路切替弁ＳＷＶ２を下流側通過状態にする。これにより、水が、タンクＴＳから上流側流路切替弁ＳＷＶ１、水処理部３、および下流側流路切替弁ＳＷＶ２を経由して、二次タンクＴＬへ送り込まれる。つまり、水は、循環用流路２から主流路１へ流れた後、二次タンクＴＬに送り込まれる。
【００９７】
本実施の形態の水処理装置１００においても、実施の形態１の水処理装置１００の水の流れと実質的に同一の水の流れを実現することができる。
【００９８】
本実施の形態の水処理装置１００によれば、たとえば、タンクＴＳが故障し、循環用流路２に原水を流すことができない場合においても、原水が水処理部３によって少なくとも一回だけは水質を改善された状態で処理済の水としてユーザに供給される。また、本実施の形態の水処理装置１００によれば、手動運転および自動運転のいずれの場合においても、原水が水処理部３によって少なくとも一回だけは水質を改善された状態で処理済の水としてユーザに供給される。
【００９９】
（実施の形態４）
図９および図１０を用いて、実施の形態４の水処理装置１００および水処理システム１０００を説明する。
【０１００】
まず、図９を用いて、本実施の形態の水処理装置１００および水処理システム１０００の全体構成を説明する。
【０１０１】
図９に示される本実施の形態の水処理装置１００と図６に示される実施の形態３の水処理装置１００とは、水質測定センサＷＱＳが接続されている主流路１の位置のみが異なっている。言い換えると、図９に示される本実施の形態の水処理装置１００と図６に示される実施の形態３の水処理装置１００とは、水質測定センサＷＱＳが接続されている主流路１の位置以外においては、同一の構成を備えている。
【０１０２】
本実施の形態の水処理装置１００の水質測定センサＷＱＳは、上流側接続位置ＵＰＣと下流側接続位置ＬＯＣとの間の主流路１に接続されている。より具体的には、本実施の形態の水質測定センサＷＱＳは、水処理部３とポンプＰとの間の主流路１に接続されている。
【０１０３】
本実施の形態の水処理装置１００の制御部Ｃおよびそれに関連する構成は、図７を用いて説明された実施の形態３の制御部Ｃの構成およびそれに関連する構成と同一であるため、その説明は繰り返さない。
【０１０４】
次に、図１０を用いて、本実施の形態の水処理装置１００の制御部Ｃが実行する処理を説明する。
【０１０５】
図１０の本実施の形態の制御部Ｃが実行する処理と図８の実施の形態３の制御部Ｃが実行する処理とは、ステップＳ９Ｂ、ステップＳ１０Ｂ、ステップＳ１１Ｂ、ステップＳ１２Ｂ、ステップＳ１３Ｂ、およびステップＳ１４Ｂの処理においてのみ異なる。言い換えると、図１０の制御部Ｃと図８の実施の形態３の制御部Ｃとは、ステップＳ９Ｂ、ステップＳ１０Ｂ、ステップＳ１１Ｂ、ステップＳ１２Ｂ、ステップＳ１３Ｂ、およびステップＳ１４Ｂ以外においては、同一の処理を実行する。
【０１０６】
具体的には、図１０に示される本実施の形態の制御部Ｃが実行する処理においては、ステップＳ９Ｂにおいては、制御部Ｃは、水位センサＷＨＳ１によって測定されたタンクＴＳ内に貯留されている処理済の水の水位が上限水位ＷＨ以上であるか否かを判定する。ステップＳ９Ｂにおいて、タンクＴＳ内に貯留されている処理済の水の水位が上限水位ＷＨ以上でないと判定される場合がある。この場合には、制御部Ｃは、ステップＳ１０Ｂにおいて、上流側流路切替弁ＳＷＶ１を上流側通過状態にする一方で、下流側流路切替弁ＳＷＶ２を下流側循環状態にする。
【０１０７】
このとき、ポンプＰは駆動されている。そのため、水が、上流側流路切替弁ＳＷＶ１、水質測定センサＷＱＳ、水処理部３、および下流側流路切替弁ＳＷＶ２を経由して、タンクＴＳへ送り込まれる。つまり、水は、循環用流路２に流れ込み、二次タンクＴＬではなく、タンクＴＳに送り込まれる。その後、制御部Ｃは、タンクＴＳ内に貯留されている処理済の水の水位が上限水位ＷＨ以上になっていると判定されるまで、ステップＳ９ＢおよびステップＳ１０Ｂの処理を繰り返す。
【０１０８】
ステップＳ９Ｂにおいて、タンクＴＳ内に貯留されている処理済の水の水位が上限水位ＷＨ以上であると判定される場合がある。この場合には、ステップＳ１１Ｂにおいて、制御部Ｃは、水質測定センサＷＱＳから送信されてきた水質の情報に基づいて、水質が所定の基準より良好であるか否かを判定する。
【０１０９】
ステップＳ１１Ｂにおいて、水質が所定の基準よりも良好でないと判定されれば、ステップＳ１２Ｂにおいて、上流側流路切替弁ＳＷＶ１を上流側循環状態にするとともに、下流側流路切替弁ＳＷＶ２を下流側循環状態にする。このとき、ポンプＰは駆動されている。そのため、処理済の水が主流路１の一部と循環用流路２とを交互に経由することによって、いわゆる循環サイクルを繰り返す。これにより、水は水処理部３によって繰り返して水質を改善される。
【０１１０】
具体的には、処理済の水が、上流側接続位置ＵＰＣと下流側接続位置ＬＯＣとの間の主流路１から循環用流路２へ流れた後、循環用流路２から上流側接続位置ＵＰＣと下流側接続位置ＬＯＣとの間の主流路１へ流れる動作が繰り返される。その後、ステップＳ１の処理が実行される。
【０１１１】
一方、ステップＳ１１Ｂにおいて、処理済の水が所定の基準よりも良好であると判定されると、ステップＳ１３Ｂにおいて、制御部Ｃは、上流側流路切替弁ＳＷＶ１を循環状態にするとともに、下流側流路切替弁ＳＷＶ２を通過状態にする。このとき、ポンプＰが駆動されている。そのため、タンクＴＳ内に貯留されている処理済の水が、上流側流路切替弁ＳＷＶ１、水処理部３、下流側流路切替弁ＳＷＶ２を経由して、二次タンクＴＬへ送り出される。
【０１１２】
その後、ステップＳ１４Ｂにおいて、制御部Ｃは、タンクＴＳ内の処理済の水が下限水位ＷＬ以下であるか否かを判定する。ステップＳ１４Ｂにおいて、タンクＴＳ内の処理済の水が下限水位ＷＬ以下であると判定されなければ、制御部Ｃは、ステップＳ１４Ｂの判定を繰り返す。一方、ステップＳ１４Ｂにおいて、タンクＴＳ内の処理済の水が下限水位ＷＬ以下であると判定されれば、制御部Ｃは、ステップＳ１の処理を実行する。
【０１１３】
上記の水処理装置１００によれば、タンクＴＳまたは循環用流路２が故障し、循環用流路２に原水を流すことができない場合においても、原水が水処理部３によって少なくとも一回だけは水質を改善された状態で処理済の水としてユーザに供給される。また、本実施の形態の水処理装置１００によっても、手動運転および自動運転のいずれの場合においても、原水が水処理部３によって少なくとも一回だけは水質を改善された状態で処理済の水としてユーザに供給される。
【０１１４】
本実施の形態の水処理装置１００によれば、水質測定センサＷＱＳによって測定された上流側接続位置ＵＰＣと下流側接続位置ＬＯＣとの間の主流路１を流れる処理済の水の水質が所定の基準よりも良好である場合がある。この場合にのみ、処理済の水が上流側接続位置ＵＰＣと下流側接続位置ＬＯＣとの間の主流路１から二次タンクＴＬへ送り出される。そのため、二次タンクＴＬ内の処理済のユーザは、より確実に所定の基準よりも良好な処理済の水を利用することができる。
【０１１５】
（実施の形態５）
上記した実施の形態１〜４の水処理装置１００は、制御部Ｃが設けられているが、制御部Ｃが設けられていなくてもよい。
【０１１６】
本実施の形態においては、上記した実施の形態１および２の第１〜第４の開閉弁Ｖ１，Ｖ２，Ｖ３，Ｖ４がユーザの手動操作によって開閉され得る構造を有している。そのため、ユーザが、上記した制御部Ｃの代わりに、上記した第１〜第４の開閉弁Ｖ１，Ｖ２，Ｖ３，Ｖ４にその開閉動作をさせれば、実施の形態１および２の水処理装置１００と同様の水の流れを形成することができる。
【０１１７】
また、本実施の形態の他の例においては、上記した実施の形態３および４の上流側流路切替弁ＳＷＶ１および下流側流路切替弁ＳＷＶ２がユーザの手動操作によって流路が切り替えられ得る構造を有している。そのため、ユーザが、上記した制御部Ｃの代わりに、上記した上流側流路切替弁ＳＷＶ１および下流側流路切替弁ＳＷＶ２にその流路切替動作をさせれば、実施の形態３および４の水処理装置１００と同様の水の流れを形成することができる。
【０１１８】
以下、実施の形態の水処理装置１００の特徴的構成およびそれにより得られる効果が述べられる。
【０１１９】
（１）  水処理装置１００は、主流路１、循環用流路２、タンクＴＳ、ポンプＰ、水処理部３、および水質測定センサＷＱＳを備えている。水処理装置１００は、第１の開閉弁Ｖ１、第２の開閉弁Ｖ２、第３の開閉弁Ｖ３、および第４の開閉弁Ｖ４を備えている。
【０１２０】
主流路１は、上流から下流へ向かって水を導く。循環用流路２は、主流路１の相対的に下流側に位置付けられた下流側接続位置ＬＯＣから分岐し、主流路１の相対的に上流側に位置付けられ上流側接続位置ＵＰＣに合流する。タンクＴＳは、循環用流路２に接続され、循環用流路２を流れる水を貯留する。
【０１２１】
ポンプＰは、上流側接続位置ＵＰＣと下流側接続位置ＬＯＣとの間の主流路１に接続され、主流路１において上流から下流へ水を送り出す。水処理部３は、上流側接続位置ＵＰＣと下流側接続位置ＬＯＣとの間の主流路１に接続され、主流路１を流れる水の水質を改善する。水質測定センサＷＱＳは、上流側接続位置ＵＰＣの上流の主流路１に接続されるか、または、上流側接続位置ＵＰＣと下流側接続位置ＬＯＣとの間の主流路１に接続され、水の水質を測定する。
【０１２２】
第１の開閉弁Ｖ１は、上流側接続位置ＵＰＣの上流側の主流路１に接続され、水を通過させる開状態および水を通過させない閉状態のいずれかに切り替わる。第２の開閉弁Ｖ２は、下流側接続位置ＬＯＣの下流側の主流路１に接続され、水を通過させる開状態および水を通過させない閉状態のいずれかに切り替わる。第３の開閉弁Ｖ３は、タンクＴＳと上流側接続位置ＵＰＣとの間の循環用流路２に接続され、水を通過させる開状態および水を通過させない閉状態のいずれかに切り替わる。第４の開閉弁Ｖ４は、タンクＴＳと下流側接続位置ＬＯＣとの間の循環用流路２に接続され、水を通過させる開状態および水を通過させない閉状態のいずれかに切り替わる。
【０１２３】
上記の構成によれば、原水が水処理部３によって少なくとも一回だけは水質を改善された状態でユーザに供給される。
【０１２４】
（２）  水質測定センサＷＱＳが上流側接続位置ＵＰＣの上流の主流路１に接続されていてもよい。水処理装置１００は、水質測定センサＷＱＳによって測定された水の水質を特定可能な水質情報を受けて、ポンプＰ、水処理部３、第１の開閉弁Ｖ１、第２の開閉弁Ｖ２、第３の開閉弁Ｖ３、および第４の開閉弁Ｖ４を制御する制御部Ｃを備えている。制御部Ｃは、水質測定センサＷＱＳによって測定された水質が所定の基準よりも良好であるか否かを判定する水質判定部（図３のＳ９）を含んでいる。制御部Ｃは、ポンプＰが主流路１に水を流し、かつ、水処理部３が主流路１を流れる水の水質を改善する制御を実行している状態になる。この状態で、制御部Ｃは、水質判定部（図３のＳ９）によって水質が所定の基準よりも良好であると判定された場合に、第１の開閉弁Ｖ１および第２の開閉弁Ｖ２を開き、かつ、第３の開閉弁Ｖ３および第４の開閉弁Ｖ４を閉じる。
【０１２５】
これによれば、水が循環用流路２を流れる必要がないほど水質が良好である場合に、水が主流路１のみを流れる状態を自動的に形成することができる。
【０１２６】
（３）  当該水処理装置１００の現在の運転状態を自動運転状態とするのか、それとも、手動運転状態とするのかを選択するための運転コース選択部Ｓをさらに備えていてもよい。制御部Ｃは、ユーザによる運転コース選択部Ｓの操作により、現在の運転状態を手動運転状態とすることが選択されている場合には、第１の開閉弁Ｖ１および第２の開閉弁Ｖ２を開き、かつ、第３の開閉弁Ｖ３および第４の開閉弁Ｖ４を閉じる。これによれば、水が主流路１のみを流れる状態を手動で形成することができる。
【０１２７】
（４）  水処理装置１００は、主流路１、循環用流路２、タンクＴＳ、ポンプＰ、水処理部３、および水質測定センサＷＱＳを備えている。水処理装置１００は、上流側流路切替弁ＳＷＶ１および下流側流路切替弁ＳＷＶ２を備えている。
【０１２８】
主流路１は、上流から下流へ向かって水を導く。循環用流路２は、主流路１の相対的に下流側に位置付けられた下流側接続位置ＬＯＣから分岐し、主流路１の相対的に上流側に位置付けられた上流側接続位置ＵＰＣに合流する。タンクＴＳは、循環用流路２に接続され、循環用流路２を流れる水を貯留する。ポンプＰは、上流側接続位置ＵＰＣと下流側接続位置ＬＯＣとの間の主流路１に接続され、主流路１において上流から下流へ水を送り出す。水処理部３は、上流側接続位置ＵＰＣと下流側接続位置ＬＯＣとの間の主流路１に接続され、主流路１を流れる水の水質を改善する。水質測定センサＷＱＳは、上流側接続位置ＵＰＣの上流の主流路１に接続されるか、または、上流側接続位置ＵＰＣと下流側接続位置ＬＯＣとの間の主流路１に接続され、水の水質を測定する。
【０１２９】
上流側流路切替弁ＳＷＶ１は、上流側接続位置ＵＰＣに設けられている。上流側流路切替弁ＳＷＶ１は、上流側通過状態および上流側循環状態のいずれかに切り替えられる。上流側通過状態は、水が上流側接続位置ＵＰＣの上流の主流路１から上流側接続位置ＵＰＣと下流側接続位置ＬＯＣとの間の主流路１へ流れる状態である。上流側循環状態は、水がタンクＴＳの下流の循環用流路２から上流側接続位置ＵＰＣと下流側接続位置ＬＯＣとの間の主流路１へ流れる状態である。
【０１３０】
下流側流路切替弁ＳＷＶ２は、下流側接続位置ＬＯＣに設けられている。下流側流路切替弁ＳＷＶ２は、下流側通過状態および下流側循環状態のいずれかに切り替えられる。下流側通過状態は、水が上流側接続位置ＵＰＣと下流側接続位置ＬＯＣとの間の主流路１から下流側接続位置ＬＯＣの下流の主流路１へ流れる状態である。下流側循環状態は、水がタンクＴＳの下流の循環用流路２から上流側接続位置ＵＰＣと下流側接続位置ＬＯＣとの間の主流路１へ流れる状態である。
【０１３１】
上記の構成によれば、原水が水処理部３によって少なくとも一回だけは水質を改善された状態で処理済の水としてユーザに供給される。
【０１３２】
（５）  水質測定センサＷＱＳが上流側接続位置ＵＰＣの上流の主流路１に接続されていてもよい。この場合、水処理装置１００は、水質測定センサＷＱＳによって測定された水の水質を特定可能な水質情報を受けて、ポンプＰ、水処理部３、上流側流路切替弁ＳＷＶ１、および下流側流路切替弁ＳＷＶ２を制御する制御部Ｃをさらに備えていてもよい。制御部Ｃは、水質測定センサＷＱＳによって測定された水質が所定の基準よりも良好であるか否かを判定する水質判定部（図８のＳ９）を含んでいる。制御部Ｃは、ポンプＰが主流路１に水を流し、かつ、水処理部３が主流路１を流れる水の水質を改善する制御を実行している状態になる。この状態で、水質判定部（図８のＳ９）によって水質が所定の基準よりも良好であると判定された場合がある。この場合に、制御部Ｃは、上流側流路切替ＳＷＶ１を上流側通過状態にし、かつ、下流側流路切替弁ＳＷＶ２を下流側通過状態にする。
【０１３３】
これによれば、水が循環用流路２を流れる必要がないほど水質が良好である場合に、水が主流路１のみを流れる状態を自動的に形成することができる。
【０１３４】
（６）  当該水処理装置１００の現在の運転状態を自動運転状態とするのか、それとも、手動運転状態とするのかを選択するための運転コース選択部Ｓをさらに備えていてもよい。制御部Ｃは、ユーザによる運転コース選択部Ｓの操作により、現在の運転状態を手動運転状態とすることが選択されている場合には、上流側流路切替弁ＳＷＶ１を上流側通過状態にし、かつ、下流側流路切替弁ＳＷＶ２を下流側通過状態にする。  これによれば、水が主流路１のみを流れる状態を手動で形成することができる。
【０１３５】
特願２０１８−１４１１４３（出願日：２０１８年７月２７日）の全内容は、ここに援用される。
【産業上の利用可能性】
【０１３６】
本実施形態によれば、いかなる場合においても、原水が水処理部によって少なくとも一回だけは水質を改善された状態で利用者に供給される水処理装置を提供することができる。
【符号の説明】
【０１３７】
１  主流路
２  循環用流路
３  水処理部
１００  水処理装置
Ｄ  表示部
ＴＳ  タンク
ＬＯＣ  下流側接続位置
Ｐ  ポンプ
Ｓ９  水質判定部
ＳＷＶ１  上流側流路切替弁
ＳＷＶ２  下流側流路切替弁
ＵＰＣ  上流側接続位置
Ｖ１  第１の開閉弁
Ｖ２  第２の開閉弁
Ｖ３  第３の開閉弁
Ｖ４  第４の開閉弁
ＷＱＳ  水質測定センサ
【図１】
2020022311.tif 000003
【図２】
2020022311.tif 000004
【図３】
2020022311.tif 000005
【図４】
2020022311.tif 000006
【図５】
2020022311.tif 000007
【図６】
2020022311.tif 000008
【図７】
2020022311.tif 000009
【図８】
2020022311.tif 000010
【図９】
2020022311.tif 000011
【図１０】
2020022311.tif 000012
【国際調査報告】
2020022311.tif 000013
2020022311.tif 000014
2020022311.tif 000015
2020022311.tif 000016